(57)【要約】      （修正有）【課題】農用シートに小孔群により開口エリヤを設定自在とすること、および、開口エリヤの開口・閉口を制御して、農用シート下方の畝圃場内の温度の制御、圃場内への給水、施肥、防虫薬剤供給等の制御よる圃場条件を改善した農用シートを提供する。【解決手段】農用シート１は表面に多孔群よりなる開口エリヤを形成するとともに、前記開口エリヤは、加熱溶融型のホットメルトの点状塗布層の溶融により形成される小孔群Ｂを含み、更に、加熱溶融型のホットメルト塗布層Ｈに対する加熱手段を有し、加熱手段により加熱溶融型のホットメルト塗布層Ｈが溶融することで、小孔群Ｂの小孔の開口・閉口が制御される。更に、表面シートの裏面下方に空気通路を隣接して形成し、前記空気通路に供給された流体により、前記開口エリヤの多孔群の開口および閉口を選択自在とする。【選択図】図１
2017176161.tif 000002
【特許請求の範囲】
【請求項１】
表面に多孔群よりなる開口エリヤを設定自在としたことを特徴とする農用シート。
【請求項２】
農用シートは加熱溶融型のホットメルト塗布層を含み、加熱溶融型のホットメルトの点状塗布層の溶融で開口する小孔群で開口エリヤを設定自在としたことを特徴とする農用シート。
【請求項３】
表面に多孔群よりなる開口エリヤを設定するとともに、
前記開口エリヤの多孔群の開口および閉口を選択自在としたこと
を特徴とする農用シート。
【請求項４】
表面に多孔群よりなる開口エリヤを設定するとともに、
前記開口エリヤは、加熱溶融型のホットメルトの点状塗布層の溶融により形成される小孔群を含み、更に、加熱溶融型のホットメルト塗布層に対する加熱手段を有し、加熱手段により加熱溶融型のホットメルト塗布層が溶融することで、小孔群の小孔の開口・閉口が制御されること
を特徴とする農用シート
【請求項５】
表面に多孔群よりなる開口エリヤを設定するとともに、
表面シートの裏面下方に空気通路を形成し、
前記空気通路に供給さけた流体により、前記開口エリヤの多孔群の開口および閉口を選択自在としたこと
を特徴とする農用シート。
【発明の詳細な説明】
【技術分野】
【０００１】  本発明は、防水・防虫・雑草阻止用の農用シートに関するものである。
【背景技術】
【０００２】  農用シート（黒色シート）は、圃場の畝の表面を覆うことで、太陽光線の吸収による圃場の温度上昇をはかるとともに、農用シートの上方よりの雨水、害虫の侵入を阻止している。また、太陽光線を遮蔽することで、雑草の生育を阻止している。
特許文献１の特開１０−８４７９３号公開特許公報「農業用温度コントロールシート」は、黒色フイルムの上に白色部材層を被膜して構成して、太陽光線の吸収による加熱による圃場温度の上昇を一定期間低減している。
【先行技術文献】
【特許文献】
【０００３】
【特許文献１】特開平１０−８４７９３号公開特許公報
【発明の概要】
【発明が解決しようとする課題】
【０００４】
【０００５】  本発明は、農用シートに小孔群により開口エリヤを設定自在とすること、および、開口エリヤの開口・閉口を制御して、農用シート下方の畝圃場内の温度の制御、圃場内への給水、施肥、防虫薬剤供給等の制御よる圃場条件の改善を課題とする。
【課題を解決するための手段】
【０００６】  本願請求項１の発明は、表面に多孔群よりなる開口エリヤを設定自在としたことを特徴とする農用シートを提供する。
本願請求項２の発明は、農用シートは加熱溶融型のホットメルト塗布層を含み、加熱溶融型のホットメルトの点状塗布層の溶融で開口する小孔群で開口エリヤを形成自在としたことを特徴とする農用シートを提供する。
本願請求項３の発明は、表面に多孔群よりなる開口エリヤを形成するとともに、前記開口エリヤの多孔群の開口および閉口を選択自在としたことを特徴とする農用シートを提供する。
本願請求項４の発明は、表面に多孔群よりなる開口エリヤを形成するとともに、前記開口エリヤは、加熱溶融型のホットメルトの点状塗布層の溶融により形成される小孔群を含み、更に、加熱溶融型のホットメルト塗布層に対する加熱手段を有し、加熱手段により加熱溶融型のホットメルト塗布層が溶融することで、小孔群の小孔の開口・閉口が制御されることを特徴とする農用シートを提供する。
本願請求項５の発明は、表面に多孔群よりなる開口エリヤを形成するとともに、表面シートの裏面下方に空気通路を隣接して形成し、前記空気通路に供給された流体により、前記開口エリヤの多孔群の開口および閉口を選択自在としたことを特徴とする農用シートを提供する。
【発明の効果】
【０００７】  本発明は、多孔群よりなる開口エリヤを設定し、該多孔群の開口・閉口を制御することで、圃場内の温度の制御、圃場への給水、施肥、防虫薬剤供給等の圃場条件の制御・改善を容易とする。
【図面の簡単な説明】
【０００８】
【図１】本願第１発明の実施例の農用シートを示し、ａ図は部分平面図、ｂ図は正面図。
【図２】小孔群を示し、ａ図は部分平面図、ｂ図は部分断面、ｃ図は平面図。
【図３】開口エリヤおよび植付開口エリヤを示し、ａ図は圃場部分断面図、ｂ図は同じく部分平面図。
【図４】開口エリヤの小孔群の実施例を示す略図で、ａ図は円形、ｂ図は四角形、ｃ図は直線、ｄ図は、十字形状である。
【図５】植付開口エリヤを示す部分平面図で、ａ図は円形と楕円形、図は円形と菱形である。
【図６】農用シートの第２実施例を閉口状態で示す略図で、ａ図は部分断面図、ｂ図は部分平面図である。
【図７】同じく開口状態で示す略図で、ａ図は部分断面図、ｂ図は部分平面図である
【図８】農用シートの第３実施例を小孔開口状態で示す部分断面図。
【図９】同じく開口状態で示す略図で、ａ図は部分断面図、ｂ図は部分平面図である
【図１０】農用シートの第４実施例を小孔開口状態で示す略図で、ａ図は部分断面図、ｂ図は部分平面図である。
【図１１】同じく拡大開口状態で示す略図で、ａ図は部分断面図、ｂ図は部分平面図である
【図１２】農用シートの第５実施例を小孔開口状態で示す略図で、ａ図は部分断面図、ｂ図は部分平面図である。
【図１３】同じく拡大開口状態で示す略図で、ａ図は部分断面図、ｂ図は部分平面図である
【図１４】加熱手段を追加した実施例示す略図で、ａ図は圃場部分断面図、ｂ図は同じく部分平面図。
【図１５】空気通路を追加した実施例示す略図で、ａ図は圃場部分断面図、ｂ図は同じく部分平面図。
【図１６】空気通路への送風による小孔開閉作用を説明する、圃場部分断面による略図で、ａ図は開口状態、ｂ図は閉口状態を示す。
【図１７】本願発明の農用シートを装備したプランターを示し、ａ図は断面図、ｂ図は部分正面図。
【発明を実施するための形態】
【０００９】  以下、添付の図面を参照して、本願発明の実施例を説明する。
【００１０】  図１に示す第１実施例の農用シート１ａは、その表面に、高温ホットメルト接着剤ＨＨの塗布により形成されるところの、点状融着部３が付加されている。
前記融着部３は、農用シート１ａの厚さ、材質の選択により、貫通孔となって小孔２を形成し、小孔２を包囲するホットメルト接着剤の溶融部２ａが小孔２を包囲する（図２参照）。多数の小孔２の集合により小孔群Ｂを形成する。
【００１１】  図３を参照して、農用シートにおける圃場の畝側面に対応する位置に開口エリヤＡを設定する。実施例においては、更に、畝頂面に対応する位置に植付用開口エリヤＡＡを設定する。
【００１２】  開口エリヤＡは、小孔群Ｂの集合として形成される。
図４を参照して、ａ図は、前記融着部３による小孔２を円形とし、同心円形配置の円孔２の集合により円形の小孔群Ｂを形成し、複数列で長手方向に配列される複数個の小孔群Ｂにより形成されている。なお、千鳥状配置、横方向配置としてもよいものである。
図４のｂ図は、前記融着部３を、同心円形配置の円孔または角孔の集合による四角形とし、複数列で長手方向の小孔群Ｂにより形成されている。なお、千鳥状配置、横方向配置としてもよいものである。
図４のｃ図は、前記融着部３を、直線配置の円孔または角孔の集合による直線とし、複数列で長手方向の小孔群Ｂにより形成されている。なお、千鳥状配置、横方向配置としてもよいものである。
図４のｄ図は、前記融着部３を、線状孔または円孔の集合による＋状形状とし、複数列で長手方向の小孔群Ｂにより形成されている。なお、千鳥状配置、横方向配置としてもよいものである。
【００１３】  図５は、植付用開口エリヤＡＡを示し、図３の開口エリヤＡと同様に、小孔群Ｂの集合として形成される。
幅方向に中央部に配置する小孔群Ｂを大面積とし、両側に配置する小孔群Ｂを小面積とする。小孔群Ｂの形状は適宜選択されるが、ａ図は円形と楕円形とし、ｂ図は円形と菱形とした。
大形苗に対しては、中央部のみを、開口状態として、植付用開口として使用し両側は閉口状態とする。小形苗に対しては、両側部のみを、開口状態として、植付用開口として使用し中央側は閉口状態とする。植付け間隔を変更して苗の大小に対応する。
【００１４】  図１、２に示す第１実施例の農用シート１ａにおいては、その表面に、高温ホットメルト接着剤ＨＨの塗布されて、点状融着部３が付加されるものであるから、開口エリヤＡ，ＡＡには点状の小孔による小孔群Ｂが形成されることとなる。
すなわち、点状の小孔の集合により”開口”している。
【００１５】  露地栽培においては太陽光の照射、温室栽培においては温室の加熱により、圃場温度および農用シート１ａの表面温度が上昇し、農用シート１ａの表面のホットメルト塗布層Ｈａが高温となる。
その結果として、点状融着部３における点状の小孔２は拡大し、開口エリヤＡの”開口”範囲は拡大する。
【００１６】  使用期間の経過により、開口エリヤＡの”開口”範囲は除々に拡大し、最後には、開口エリヤＡの全範囲が”開口”状態となる。開口エリヤＡの分布状態によっては、両側部の農用シート１ａは、溶融により消失して、不存在となる。
よって、農用シート１ａの畝両側部の除去作業が不要である。
【００１７】  図６の農用シート１ｂにおいて、開口エリヤＡ，ＡＡには点状の小孔による小孔群Ｂが形成されて”開口”状態において、更に、その上面に常温のホットメルト接着剤Ｈｂを塗布されている。
開口エリヤＡの上方にホットメルト接着剤Ｈｂが存在して、開口エリヤＡ，ＡＡは”閉口”状態である。
農用シート１ｂの表面温度が上昇し、農用シート１ｂの表面上昇で、図７を参照して、開口エリヤＡ，ＡＡは”閉口”状態より”開口“状態に変化し、点状融着部３における点状の小孔は拡大し、開口エリヤＡの”開口”範囲は拡大する
【００１８】  露地栽培においては、太陽光の照射、温室栽培においては温室の加熱により、圃場温度が上昇するとともに、開口エリヤＡ，ＡＡは”開口”状態である。
農用シート１ａの表面温度が上昇し、農用シート１ｂの表面のホットメルト塗布層Ｈａが高温となり、点状融着部３における点状の小孔は拡大し、開口エリヤＡの”開口”範囲は拡大する
【００１９】  図８の農用シート１ｃは、農用シートの上面に塗布されるホットメルト塗布層は、加熱溶融型のホットメルトｐと加熱硬化型のホットメルトｑとの混合ホットメルト塗布層Ｈｃである。
混合ホットメルト塗布層Ｈｃの加熱溶融型のホットメルトｐの溶融により、農用シート１ｃを貫通する小孔２が形成されることで、開口エリヤＡは開口状態である。
【００２０】  土壌またはシート表面の温度上昇により、混合ホットメルト塗布層Ｈｃの加熱硬化型のホットメルトｑが加熱硬化することで、起立して加熱硬化型のホットメルトｑの塗布部の上下長さが拡大する。その結果、加熱溶融型のホットメルトｐは加熱硬化型のホットメルトｑに吸引されて、開口エリヤＡは開口範囲を拡大する（図９参照）
【００２１】  図１０の実施例の農用シート１ｄは、開口エリヤＡについて、加熱溶融型のホットメルト塗布層Ｈｐと加熱硬化型のホットメルト塗布層Ｈｑとを二層構造とし、加熱硬化型のホットメルト塗布層Ｈｑを格子状、網状分布とし、加熱溶融型のホットメルト塗布層Ｈｐを全面分布とする。加熱溶融型のホットメルト塗布層Ｈｐの全面塗布により、小孔２は閉口状態である。
土壌またはシート表面の温度上昇により、加熱硬化型のホットメルト塗布層Ｈｑの加熱硬化により、加熱硬化型のホットメルト塗布層Ｈｑの上下長さが拡大することで、加熱硬化型のホットメルト塗布層Ｈ２の格子状、網状分布の網目が開口して、小孔２は開口状態となる（図１１参照）。
【００２２】  図１２の実施例の農用シート１ｅにおいては、農用シートに切込み加工、針の貫通による削孔等により小孔２ａを構成することで、小孔群Ｂを形成して、開口エリヤＡには”開口”が存在するが、その上面に、加熱溶融型のホットメルト塗布層Ｈ１を塗布することにより、開口エリヤＡは”閉口”状態となる。
土壌またはシート表面の温度上昇により、ホットメルト塗布層Ｈ１が溶融することで、開口エリヤＡは”開口”状態となる。
【００２３】  図１４の多層農用シート１ｆは、前述の農用シート１ｅにおいて、更に、加熱溶融型のホットメルト塗布層Ｈ１に対する加熱手段４を有し、加熱手段により加熱溶融型のホットメルト塗布層Ｈ１が溶融することで、小孔２の開口・閉口が制御されることを特徴とする。
【００２４】  加熱手段４は、光線照射・磁気誘導等のエネルギーの供給を受けて高温となる物質層として、温室内の紫外線照射装置、可視光照射装置、赤外線照射装置により加熱硬化物質を格子状、網状、点状分布することで、開口・閉口を制御することができる。また、磁性体を格子状、網状、点状分布することで、磁気誘導による過電流の発生を利用して、同様に、開口・閉口を制御することができる
加熱手段として、酸化鉄等の自己発熱物質、熱硬化発熱物質を適用することで、給水、光線照射等により、開口・閉口を制御することができる。
【００２５】  開口エリヤＡ、ＡＡの形成にあたり、紙、合成樹脂シート等の材質の貼り付用シート（台紙）を介して、既存の農用シートに装備することで、本発明を実施することができる。
植付け箇所が少ない場合には植付け開口エリヤＡＡの一部をのみを除去して開口して植付け場所として利用し、他はシート状態で残すことが可能である。
開口エリヤＡの形成にあたり、紙、合成樹脂シート等の材質の貼り付用シート（台紙）を介して、既存の農用シートに装備することで、本発明を実施することができる。
【００２６】  図１５は、農用シート１の下面に隣接、または、農用シート１の下方の畝土壌内に、空気通路５を形成した実施例を示し、前記空気通路に供給さけた流体により、前記開口エリヤの多孔群の開口および閉口を選択自在とする。
例えば、図１０の実施例の農用シート１ｄ（開口エリヤＡについて、加熱溶融型のホットメルト塗布層Ｈｐと加熱硬化型のホットメルト塗布層Ｈｑとを二層構造とした実施例）において、空気通路５を付加することにより、空気通路５に温風を供給することで、熱溶融型ホットメルト塗布層Ｈｐが溶融することで、開口エリヤＡは”開口”状態となる。
熱硬化型ホットメルト塗布層Ｈｑが溶融することで、開口エリヤＡは”閉口”状態となる。
きた、空気通路５を農用シート１の下面に近接させるとともに、空気通路５の上面に空気孔を形成することで、空気通路５の空気孔より加圧空気を噴出すことで閉口状態を開口状態とすることができる。例えば、図１１の実施例の農用シート１ｅ（農用シートに切込み加工、針の貫通による削孔等により小孔２ａを構成することで、小孔群Ｂを形成した実施例）にあいて、空気通路５を付加した場合には、空気通路５に温風空気の供給で、加熱溶融型のホットメルト塗布層Ｈｐを溶融、加圧空気の送風により、開口エリヤＡは”閉口”開口“を制御できる。
【００２７】  本願発明の実施にあたり、ホットメルト塗布層の上方に剥離紙を装備し、使用に際して剥離紙を削除する方式とすることで、本発明を実施した農用シートの保管、移動に際しては、積上げ、巻取りすることが出来て好都合である。
【００２８】  図１７は、花壇、家庭菜園用のプランター１０の頂面に、本発明の農用シート１を装備して、プランターの土壌天面を密封状態とした場合を示し、固定具１２および延長枠体１３を付加して、農用シート１を、プランター本体に固定することで、プランター本体と一体化している。側面孔１４をプランター本体１１に形成して、付加した農用シート１の上面への雨水、注水を側方へ排除して、農用シート１の上面よりの雨水の侵入を阻止するとともに、水溜り発生を防止している。
【００２９】  実施例においては、農用シートを単一層の黒色シートとして説明下が、不織布層、網状構造層等を含む多層シートに適用できることは勿論である。
【産業上の利用可能性】
【００３０】  本発明は、農用シートにおいて、雨水、害虫等の侵入、雑草の発生を阻止するとともに、農用シート下方の土壌に対する圃場条件の管理を容易とすることで、農用シートの利用を促進することにより、農用シートの製造業の発展に寄与するものである。
【符号の説明】
【００３１】  Ａ    開口エリヤ
Ａ    植付用開口エリヤ
Ｂ    小孔群
Ｈ    ホットメルト塗布層
Ｈｐ  加熱溶融型のホットメルト塗布層
Ｈｑ  加熱硬化型のホットメルト塗布層
１    農用シート
２    小孔
３    融着周縁部
３ａ  点状融着部
４    加熱手段
５    空気通路
【図１】
2017176161.tif 000003
【図２】
2017176161.tif 000004
【図３】
2017176161.tif 000005
【図４】
2017176161.tif 000006
【図５】
2017176161.tif 000007
【図６】
2017176161.tif 000008
【図７】
2017176161.tif 000009
【図８】
2017176161.tif 000010
【図９】
2017176161.tif 000011
【図１０】
2017176161.tif 000012
【図１１】
2017176161.tif 000013
【図１２】
2017176161.tif 000014
【図１３】
2017176161.tif 000015
【図１４】
2017176161.tif 000016
【図１５】
2017176161.tif 000017
【図１６】
2017176161.tif 000018
【図１７】
2017176161.tif 000019